(57)【特許請求の範囲】
【請求項１】
溶接ワイヤを溶接トーチに供給して溶接を行う溶接装置と、
該溶接装置に内蔵されており、溶接装置の溶接操作に関する溶接データを記録する溶接データ記録装置と、
前記溶接装置の溶接データ記録装置で記録された溶接データを収集し処理する溶接データ管理装置と
を備えた溶接システムであって、
前記溶接データ記録装置は、
溶接トーチに供給されたワイヤの量を検出するワイヤ使用量検出器と、
溶接装置の溶接電流を検出する電流検出器と、
溶接データ記録装置で記録したワイヤ使用量、溶接電流及び使用時間に関する溶接データを前記溶接データ管理装置に無線送信する無線送信機と、を備えており、
前記溶接装置及び溶接データ記録装置には溶接士に対応するＩＤが付されており、
前記溶接データ管理装置は、前記無線送信機から送信される前記ＩＤに対応する溶接データをＩＤ毎に収集するデータ収集部と、収集されたデータを処理して、ＩＤ毎のワイヤ使用量、溶接電流及び使用時間に基づいて溶接士毎の仕事量及び溶接コストを管理するデータ処理部とを含む
ことを特徴とする溶接システム。
【請求項２】
前記ワイヤ使用量検出器は、ワイヤ送給ローラと同じ回転数で回転する円板であって貫通孔を有する円板と、前記円板に光を照射する装置と前記円板に設けた貫通孔の透過光を検出する装置とを有する透過型光センサとを備え、前記透過光を検出することによってワイヤ送給ローラの回転数をカウントすることを特徴とする請求項１に記載の溶接システム。
【請求項３】
前記溶接データ記録装置は、前記ワイヤ使用量検出器によってカウントされたワイヤ送給ローラの回転数に基づいてワイヤ使用量を算出し、このワイヤ使用量についてのデータを記録することを特徴とする請求項２に記載の溶接システム。
【請求項４】
前記電流検出器がクランプメータであり、前記溶接データ記録装置は、前記クランプメータによって検出された溶接電流値に基づいて使用電流量を算出し、この使用電流量についてのデータを記録することを特徴とする請求項１〜３のいずれかに記載の溶接システム。
【請求項５】
請求項１に記載の溶接システムに用いる、溶接ワイヤを溶接トーチに供給して溶接を行う溶接装置であって、
該溶接装置は溶接操作に関する溶接データを記録する溶接データ記録装置を内蔵しており、
前記溶接装置及び前記溶接データ記録装置には溶接士に対応するＩＤが付され、
前記溶接データ記録装置は、
溶接トーチに供給されたワイヤの量を検出するワイヤ使用量検出器と、
溶接装置の溶接電流を検出する電流検出器と、
溶接データ記録装置で記録したＩＤに対応するワイヤ使用量、溶接電流及び使用時間に関する溶接データを無線送信する無線送信機と、
を備えており、
前記無線送信機は、前記ＩＤに対応するワイヤ使用量、溶接電流及び使用時間に関する溶接データを、前記溶接システムの前記溶接データ管理装置に送信する無線送信機であることを特徴とする溶接装置。
【発明の詳細な説明】
【技術分野】
【０００１】
本発明は溶接ワイヤを用いて行う溶接施工作業の施工状況を管理する溶接システム及び溶接装置に関する。
【背景技術】
【０００２】
一般に、消耗性の溶接ワイヤを用いてアーク溶接を行う場合、溶接ワイヤはワイヤリールから引き出されて溶接トーチ先端部のアーク発生部まで送給される。この時、溶接ワイヤが正常に送給されているか否かを確認するために溶接ワイヤのワイヤ送給速度を測定し監視することが行われている。
【０００３】
特許文献１には、適宜に設定した溶接用ワイヤ送給速度を教示ワイヤ送給速度として記憶し、溶接中に溶接ワイヤの速度を直接検出する光学式センサから検出した溶接用ワイヤ送給速度を比較ワイヤ送給速度とし、教示ワイヤ送給速度と比較ワイヤ送給速度とを順次比較し、該教示ワイヤ送給速度に対する該比較ワイヤ送給速度の比が所定の数値範囲内となるように比較ワイヤ送給速度を制御することが記載されている。
【０００４】
また、溶接コストは溶接材料費、電力費及び人件費によって定まる。
溶接材料費を把握するための手段としては溶接ワイヤカウンターが市販されている。この溶接ワイヤカウンターはアナログの回転計をワイヤ送給装置のローラ回転部に取付けて回転数をカウントする機器であり、下記の計算式に基づいてワイヤの使用量を把握するとものである。
ワイヤの使用量＝ワイヤ送給ローラの回転数×ワイヤ送給ローラの円周
【０００５】
電力費を把握するための手段としては、溶接電源より出力データ（溶接電流・電圧・時間等）を記録する機器が市販されている。
人件費については、例えば使用済みワイヤリールをカウントすることによって仕事量を把握することもできるが、この方法は正確性に欠けるという問題がある。
また、溶接作業の形態としては溶接電源を固定配置し、溶接士毎にワイヤ送給装置を運搬してこれを溶接電源につなぎ替えることによって溶接作業を行うという形態が行われている。しかしながら、このような形態であると溶接電源からのデータでは各溶接士の仕事量を把握することができない。
【先行技術文献】
【特許文献】
【０００６】
【特許文献１】特開平９−２８５８６４号公報
【発明の概要】
【発明が解決しようとする課題】
【０００７】
本発明は、前記の事情に鑑みてなされたものであり、溶接士の個別の仕事量及び溶接コストを管理することができる溶接システム及びこれに用いる溶接装置を提供することを目的とする。
【課題を解決するための手段】
【０００８】
本発明者は、溶接システムを、溶接装置と、溶接作業に関する溶接データを記録する溶接装置に内蔵された溶接データ記録装置と、該溶接データ記録装置で記録された前記データを収集し処理する溶接データ管理装置とから構成し、溶接データ記録装置で記録した溶接データを溶接データ管理装置に無線送信して、複数の溶接装置に関する溶接データを溶接データ管理装置で収集することにより前記課題が解決できることを見いだして本発明を完成した。
すなわち、本発明は以下に記載する通りの溶接システムである。
【０００９】（１）溶接ワイヤを溶接トーチに供給して溶接を行う溶接装置と、  該溶接装置に内蔵されており、溶接装置の溶接操作に関する溶接データを記録する溶接データ記録装置と、  前記溶接装置の溶接データ記録装置で記録された溶接データを収集し処理する溶接データ管理装置と  を備えた溶接システムであって、  前記溶接データ記録装置は、  溶接トーチに供給されたワイヤの量を検出するワイヤ使用量検出器と、  溶接装置の溶接電流を検出する電流検出器と、  溶接データ記録装置で記録したワイヤ使用量、溶接電流及び使用時間に関する溶接データを前記溶接データ管理装置に無線送信する無線送信機と、を備えており、  前記溶接装置及び溶接データ記録装置には溶接士に対応するＩＤが付されており、  前記溶接データ管理装置は、前記無線送信機から送信される前記ＩＤに対応する溶接データをＩＤ毎に収集するデータ収集部と、収集されたデータを処理して、ＩＤ毎のワイヤ使用量、溶接電流及び使用時間に基づいて溶接士毎の仕事量及び溶接コストを管理するデータ処理部とを含む  ことを特徴とする溶接システム。（２）前記ワイヤ使用量検出器は、ワイヤ送給ローラと同じ回転数で回転する円板であって貫通孔を有する円板と、前記円板に光を照射する装置と前記円板に設けた貫通孔の透過光を検出する装置とを有する透過型光センサとを備え、前記透過光を検出することによってワイヤ送給ローラの回転数をカウントすることを特徴とする上記（１）に記載の溶接システム。（３）前記溶接データ記録装置は、前記ワイヤ使用量検出器によってカウントされたワイヤ送給ローラの回転数に基づいてワイヤ使用量を算出し、このワイヤ使用量についてのデータを記録することを特徴とする上記（２）に記載の溶接システム。（４）前記電流検出器がクランプメータであり、前記溶接データ記録装置は、前記クランプメータによって検出された溶接電流値に基づいて使用電流量を算出し、この使用電流量についてのデータを記録することを特徴とする上記（１）〜（３）のいずれかに記載の溶接システム。（５）上記（１）に記載の溶接システムに用いる、溶接ワイヤを溶接トーチに供給して溶接を行う溶接装置であって、  該溶接装置は溶接操作に関する溶接データを記録する溶接データ記録装置を内蔵しており、 前記溶接装置及び前記溶接データ記録装置には溶接士に対応するＩＤが付され、  前記溶接データ記録装置は、  溶接トーチに供給されたワイヤの量を検出するワイヤ使用量検出器と、  溶接装置の溶接電流を検出する電流検出器と、  溶接データ記録装置で記録したＩＤに対応するワイヤ使用量、溶接電流及び使用時間に関する溶接データを無線送信する無線送信機と、  を備えており、 前記無線送信機は、前記ＩＤに対応するワイヤ使用量、溶接電流及び使用時間に関する溶接データを、前記溶接システムの前記溶接データ管理装置に送信する無線送信機であることを特徴とする溶接装置。 
【発明の効果】
【００１０】
本発明の溶接システム及び溶接装置によれば、溶接士の個別の仕事量及び溶接コストを管理することができる。
【図面の簡単な説明】
【００１１】
【図１】本発明の実施形態に係る溶接システムを説明する図である。
【発明を実施するための形態】
【００１２】
本発明の実施形態を図１に基づいて説明する。
図１は本発明の実施形態に係る溶接システムの構成を示す図である。
図１には溶接装置２０、溶接データ記録装置３０及び溶接データ管理装置４０が示されている。本発明の溶接システムは溶接装置２０と、これに付属する溶接データ記録装置３０及び溶接データ管理装置４０によって構成される。
【００１３】
（溶接装置）
溶接装置２０は、溶接トーチ８と、溶接トーチ８にワイヤ１を供給するワイヤ送給装置１０とを含む。
ワイヤ送給装置１０はワイヤ１を繰り出すワイヤリール２、モーター３により駆動されてワイヤ１を溶接トーチ８に送給するワイヤ送給ローラユニット４、ワイヤ１の曲げぐせを矯正するワイヤ矯正機５、溶接トーチ８に電気を供給する電源ケーブル６を備えている。なお、７は溶接装置のフレームを示す。
【００１４】
（溶接データ記録装置）
溶接データ記録装置３０はワイヤ送給装置１０に内蔵されており、溶接装置２０による溶接作業に関する情報である溶接データを記録するための装置である。
溶接データ記録装置３０はマイコン３１を搭載しており、溶接データの記録及び蓄積はマイコン３１によって制御される。溶接データ記録装置３０が備える主な構成要素を挙げると次の通りである。
【００１５】
＜ワイヤ使用量検出器＞
ワイヤ使用量検出器３５は、溶接トーチ８に送給され使用されたワイヤの使用量を検出する検出器である。ワイヤ使用量を検出する方法としては適宜の方法を採用することができる。
この検出方法としては、例えばワイヤ送給ローラの回転軸と同じ回転数で回転する円板を設け、この円板に光が透過する孔を開けておき、光学式センサで孔を透過した光を検出することでワイヤ送給ローラの回転数をカウントする方法を挙げることができる。また、前記円板はワイヤ送給ローラの回転軸と同軸に設けても良いし、異なる軸に設けて歯車機構によりワイヤ送給ローラの回転数と円板の回転数とが同じになるようにしてもよい。
得られたカウント値から下記の計算式に基づいてワイヤの使用量を算出することができる。
ワイヤの使用長さ（ｍ）＝回転数（カウント）×ワイヤ送給ローラの円周（ｍ）
【００１６】
上記の検出方法はワイヤの使用長さを検出するものであるが、ワイヤとしてはワイヤ径の異なるものを使用する場合がある。そして、使用したワイヤのコストはワイヤの長さのみではなくワイヤ径によっても定まる。このため、溶接データ記録装置３０では、ワイヤの単位長さあたりの重量（ｋｇ／ｍ）のデータについても記録できるようにしておき、上記で得たワイヤの使用長さ（ｍ）のデータとワイヤの単位長さあたりの質量（ｋｇ／ｍ）のデータとからワイヤの使用質量（ｋｇ）を記録するようにしてもよい。
また、溶接データ記録装置ではワイヤの使用量（ｍ）とワイヤの種類についてのデータを記録し、後述する溶接データ管理装置においてワイヤの使用質量（ｋｇ）を算出するようにしてもよい。
【００１７】
＜溶接電流検出器＞
溶接電流検出器３６は電源ケーブルに流れる溶接電流を検出するための装置である。
図１では溶接電流検出器３６としてクランプメータ（架線電流計）を用いた例を示したが、これに限られるものではなく、シャント電流計等を使用してもよい。
溶接電流のデータはマイコン３１に時間−電流の関係を示す電流波形として記録され、溶接電流値がある閾値以上になっている時間を積算することによりアークタイムを計測することができる。
【００１８】
＜表示器＞
表示器３３は溶接データ記録装置３０に蓄積されたデータを適宜に表示するための装置であり、溶接士及び管理者は適宜にデータを表示させて作業状況を把握することができる。
また、溶接装置２０における電源状況、無線通信の状況、バッテリーの状況等についても表示できるようにしておくことが好ましい。
【００１９】
＜バッテリー＞
溶接データ記録装置３０は溶接装置２０に内蔵されており、溶接士は溶接装置２０を作業現場に運搬して使用するものであるため、溶接データ記録装置３０のための電源としてバッテリー３２を備えている。
【００２０】
＜無線送信機＞
溶接データ記録装置３０で記録され蓄積された溶接士毎のデータは後述する溶接データ管理装置４０に送られてデータ管理、データ処理がなされる。
溶接データ記録装置３０で得られたデータは無線送信機３４から無線信号３７によって溶接データ管理装置４０に無線送信することができる。これにより、同時に多数の溶接装置２０から溶接データを常時溶接データ管理装置４０に送信することができる。
無線送信機としては例えば市販されているＸＢｅｅモジュール（登録商標：Digi International 社製）を用いることができる。
【００２１】
個々の溶接装置２０及び溶接データ記録装置にはＩＤが付されており、このＩＤは溶接士に対応している。そして、溶接データ記録装置から溶接データ管理装置に送信されるデータは溶接データ管理装置において溶接装置毎、すなわち溶接士毎にデータが収集される。
【００２２】
（溶接データ管理装置）
溶接データ管理装置４０は溶接データ記録装置３０から送信された各溶接装置毎（すなわち各溶接士毎）の溶接データを一括管理し、このデータを基に溶接現場における生産性の管理を行うための装置である。
溶接データ管理装置４０は例えば、データ収集部４１及び収集データを処理するデータ処理部４２を含む。このようなデータ収集部４１及びデータ処理部４２を含むものとしては、例えばパーソナルコンピュータ及びタブレット端末を挙げることができる。
【００２３】
溶接データは、例えば昼勤・夜勤別に蓄積することができるようにすることが好ましい。
また、データ収集部４１において過去分のデータを蓄積しておくことによって溶接作業の能率向上に役立てることができる。
【実施例】
【００２４】
以下に実施例に基づいて本発明をより詳細に説明するが、本発明の技術的範囲は下記実施例に何ら限定されるものではない。
【００２５】
溶接装置として図１に示す溶接装置を用いた。
溶接士４名（溶接士Ａ、Ｂ、Ｃ及びＤ）に溶接装置及び溶接データ記録装置を割り当て個人識別番号（ＩＤ）として１０１〜１０４を付した。
この４名が表１に示すような日程で溶接作業を行った。
ワイヤとしてはφ１．２ｍｍとφ１．４ｍｍの二種類のワイヤを用いた。
ワイヤ使用量検出器としては、前記したような、ワイヤ送給ローラの回転軸と同じ回転数で回転し、貫通孔を有する円板を設け、光学式センサで透過光を検出してワイヤ送給ローラの回転数を記録した。また、ワイヤを交換する際にはその都度ワイヤ径を溶接データ記録装置にインプットした。
また、溶接データ記録装置に溶接電流を記録した。
溶接データ記録装置で得られたデータを無線送信機で溶接管理装置（ＰＣ）に送信した。
送信されたデータに基づいて溶接管理装置によって、各溶接士について、二種類のワイヤの使用質量（ｋｇ）、使用量（ｍ）、平均電流（Ａ）及び使用時間（分）を算出した。
結果を表１に示す。
本発明の溶接システムを使用することにより、各溶接士について、そのワイヤ使用量及び電流使用量、作業時間を把握することができた。
【００２６】
【表１】
0006260937.tif 000002
【符号の説明】
【００２７】
１  ワイヤ
２  ワイヤリール
３  モーター
４  ワイヤ送給ローラユニット
５  ワイヤ矯正機
６  電源ケーブル
７  フレーム
８  溶接トーチ
１０  ワイヤ送給装置
２０  溶接装置
３０  溶接データ記録装置
３１  マイコン
３２  バッテリー
３３  表示器
３４  無線送信機
３５  ワイヤ使用量検出器
３６  溶接電流検出器
３７  無線信号
４０  溶接データ管理装置
４１  データ収集部
４２  データ処理部
【図１】
0006260937.tif 000003